【手続補正書】
【提出日】平成20年7月1日(2008.7.1)
【手続補正１】
【補正対象書類名】明細書
【補正対象項目名】発明の名称
【補正方法】変更
【補正の内容】
【発明の名称】原稿走査装置
【手続補正２】
【補正対象書類名】明細書
【補正対象項目名】特許請求の範囲
【補正方法】変更
【補正の内容】
【特許請求の範囲】
【請求項１】 原稿を走査するための原稿走査装置において、
原稿を走査するためのミラーと、
前記ミラーの下方に設けられたヒータと、
温度を検知するための温度センサと、
湿度を検知するための湿度センサと、
前記温度センサ及び前記湿度センサの出力に応じて前記ヒータへの通電を制御する制御手段と、
を有することを特徴とする原稿走査装置。
【請求項２】 前記原稿走査装置の主電源がオフされたことに応じて、前記制御手段を動作させるモニタ電源を有することを特徴とする請求項１記載の原稿走査装置。
【請求項３】 前記温度センサ及び前記湿度センサは、前記原稿走査装置内に設けられたことを特徴とする請求項１記載の原稿走査装置。
【請求項４】 前記ミラーに導かれた原稿からの反射光を結像するためのレンズと、
前記レンズの下方に設けられた第２のヒータと、を有し、
前記制御手段は、前記温度センサ及び前記湿度センサの出力に応じて前記第２のヒータへの通電を制御することを特徴とする請求項１記載の原稿走査装置。
【請求項５】 前記制御手段は、前記温度センサ及び前記湿度センサの出力が結露発生条件に達した場合には、前記ヒータをオンさせ、結露発生条件を回避した場合には、前記ヒータをオフさせることを特徴とする請求項１記載の原稿走査装置。
【手続補正３】
【補正対象書類名】明細書
【補正対象項目名】０００１
【補正方法】変更
【補正の内容】
【０００１】
【発明の属する技術分野】
本発明は、原稿を走査するための原稿走査装置に関し、特に、結露防止機能を備えた原稿走査装置に関するものである。
【手続補正４】
【補正対象書類名】明細書
【補正対象項目名】０００５
【補正方法】変更
【補正の内容】
【０００５】
本発明は上述の問題点にかんがみ、メイン電源ＯＦＦ状態での平均消費電力の低下を実現し、原稿走査装置の設置環境下での結露を発生させない原稿走査装置を提供することを目的とする。
【手続補正５】
【補正対象書類名】明細書
【補正対象項目名】０００６
【補正方法】変更
【補正の内容】
【０００６】
【課題を解決するための手段】
本発明は、原稿を走査するための原稿走査装置において、原稿を走査するためのミラーと、前記ミラーの下方に設けられたヒータと、温度を検知するための温度センサと、湿度を検知するための湿度センサと、前記温度センサ及び前記湿度センサの出力に応じて前記ヒータへの通電を制御する制御手段と、を有することを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００３１
【補正方法】変更
【補正の内容】
【００３１】
画像読み取り装置１は、原稿を露光ランプ１０２により照明し、その反射光をミラー１０３，１０４，１０５によりレンズ１０６に導き、更に画像読み取り素子としてのＣＣＤセンサ１０７に結像させる構成となっている。また、原稿を読み取る際には、第１ミラー台１０１（原稿照射光源１０２とミラー１０３によって構成される）とミラー１０４，１０５によって構成される第２ミラー台が２：１の速度比で原稿に対して相対的な速度で副走査方向への原稿走査を行う。その際、上記第１ミラー台と第２ミラー台を駆動制御する駆動源が光学モータ１１４であり、モータ駆動軸と光学駆動軸１０８の間に渡された駆動ベルト１１５を介してワイヤー１１６，１１７の駆動制御を行う。上記第１ミラー台と第２ミラー台は共にワイヤーに固定されており、ワイヤー駆動に伴って原稿走査を行うことになる。又、不図示の画像メモリを搭載しない画像読取装置においては、原稿を読み取る変倍率に応じて走査速度が変化してくる。即ち、１００％（等倍）読み込みの場合には、４００ｄｐｉ解像度の原稿読取装置で６３．５μｍ間隔で画像を読み取り、６００ｄｐｉ解像度の原稿読取装置で４２．３μｍ間隔での画像読み取りを行うところ、５０％読み込みの場合には読み取り間隔が倍の１２７μｍ，８４．６μｍとなる。これは２分の１に縮小するために読み取り間隔を二倍に広げて間引いた結果である。尚、１０９，１１０に示したヒータが結露防止ヒータを示しており、セメント抵抗等の消費電力１０Ｗクラスの発熱部材が用いられる。結露防止ヒータは結露防止制御手段１１１によって、温度センサ１１２，湿度センサ１１３の検出結果に基づいてＯＮ／ＯＦＦ制御が行われる。
【手続補正２１】
【補正対象書類名】明細書
【補正対象項目名】００３７
【補正方法】変更
【補正の内容】
【００３７】
光学モータ４０５はリーダコントローラ４０４の制御によって、第１ミラー台１０１（原稿照射光源１０２とミラー１０３によって構成される）とミラー１０４，１０５によって構成される第２ミラー台を走査し、光源４０１を点灯させた状態で不図示の原稿台硝子上の原稿を走査した結果をＣＣＤ４０３に集光する。プリンタＩ／Ｆ４０６は図１記載の画像記録装置２に対して読み取った画像データを送信するためのＩ／Ｆであると同時に、プリンタ側に搭載されている不図示のコントローラからの制御信号を受信するためのＩ／Ｆを示している。Ｉ／Ｆに関しては、基本的な構成は機種間で統一されており、不図示のコントローラからの制御信号によって画像読取装置のメイン電源４０７のＯＮ／ＯＦＦ制御を行える構成を備えている。即ち、メイン電源４０７内部には２４時間数ミリワット程度の小消費電力で動作する常夜電源４０９を介して画像読取装置電源４０８と環境モニタ電源４１０が個別に制御可能な構成を備え、メイン電源４０７からリーダコントローラ４０４への給電及び、光源４０１、インバータ４０２、ＣＣＤ４０３、光学モータ４０５への電源を停止し画像読取装置としての消費電力を０Ｗにすることを可能としている。
【手続補正２２】
【補正対象書類名】明細書
【補正対象項目名】００４０
【補正方法】変更
【補正の内容】
【００４０】
ＣＰＵ４１４のＩ／Ｏポートに入力されたセンサ検出結果はＣＰＵ４１４によってメモリ４１５に照会され、湿度条件に対する水蒸気圧線と、検出温度の条件から結露発生条件に達した場合にはヒータ制御部４１６を介してヒータ４１８とヒータ４１９のＯＮ制御を行い、結露防止動作を行う。又、結露発生条件を回避したと判断した場合には、同様にして４１８のヒータ１と４１９のヒータ２のＯＦＦ制御を行う。ここで、４１８ヒータ１は１１０の長尺ヒータを示し、４１９ヒータ２は１０９の短尺ヒータを示している。
【手続補正２３】
【補正対象書類名】明細書
【補正対象項目名】００４１
【補正方法】変更
【補正の内容】
【００４１】
図５に結露防止制御シーケンスを示す。ステップ５０１はメイン電源がＯＦＦされたことによって環境モニタ電源がＯＮされたことを示している。夜間などメイン電源がＯＦＦされている状況下では常に結露防止制御は行われ（ステップ５０３）センサ検出が開始される。センサが動作を開始し、結露発生条件に対してマージンがある状況下ではステップ５０３の環境検出動作を所定時間毎に繰り返すことになる。（特に説明は行っていないが、１分、２分の単位時間で大きく環境が変化を起こすことは稀であり、５分以上又は１０分間隔位の検出制御で行っても問題は生じない。）
ステップ５０３で結露発生条件に達していない場合には、メイン電源状態によってステップ５０４を介し、メイン電源ＯＮの場合には結露防止制御シーケンスが終了（ステップ５０５）され、メイン電源がＯＦＦの場合には引き続き結露発生条件モニタ動作を行うためステップ５０３に戻る。ステップ５０３で結露発生条件に近づいたことを検出した場合には、ヒータをＯＮ（ステップ５０６）し、ミラー１０３，１０４，１０５及び、レンズ１０６近傍の温度を優先的に上昇させる。ヒータＯＮ後、機内昇温は徐々に平均化され、温度センサ１１２、湿度センサ１１３によって検出された結果が結露回避条件に達したと判断（ステップ５０７）した場合には、ヒータはＯＦＦとなり、ステップ５１０によってヒータがＯＦＦされた後にステップ５０３の結露発生条件検出に戻る。ステップ５０７の結露発生条件に対するマージン確保中にメイン電源がＯＮされた場合には、ステップ５０８を介して結露防止制御シーケンスが終了（ステップ５０９）され、メイン電源がＯＦＦされた状態では引き続きヒータＯＮ状態での結露発生条件に対するマージン確保動作が継続される。
【手続補正２４】
【補正対象書類名】明細書
【補正対象項目名】００４４
【補正方法】変更
【補正の内容】
【００４４】
【発明の効果】
以上説明したように、本発明によれば、原稿走査装置において、不必要な電力消費を抑えつつ、結露を防止することができる。